(57)【要約】      （修正有）【課題】遊技機の１個の表示器にテレビ映像を表示する構成において、簡単な構成で、遊技中にテレビを見たり、各種ホール情報を表示できる遊技機のテレビ情報表示制御のシステムを提供する。【解決手段】遊技機制御回路１１は、遊技に応じた図柄信号を合成制御回路２３に送信する。合成制御回路２３は、表示器１２に図柄信号を表示する。検波／信号切り替え回路２２は、通常テレビ受信回路２１からのテレビ映像信号を合成制御回路２３に送信するが、メッセージ映像信号を検波し信号が有る場合、テレビ映像信号からメッセージ映像信号に切り替えて合成制御回路２３に送信する。合成制御回路２３は、遊技機制御回路１１のテレビ表示制御信号によるテレビ表示が指示されている場合、表示器１２に図柄信号を表示した上に、テレビ画面１３を重畳表示する。【選択図】図１
0003112116.tif 000002
【実用新案登録請求の範囲】
【請求項１】
遊技盤面に設けられた表示器と、遊技に対応した図柄信号を表示器に表示させる単一画面表示と、信号線を通じた表示制御を指示する制御信号に対応して、遊技に対応した前記図柄信号と映像信号からなる合成信号で表示器に表示させる複数画面表示と、信号線を通じた表示制御を指示する前記制御信号に対応して表示器に表示する前記合成信号の映像信号で、メッセージ映像信号の有無を検知し、テレビ受信回路のテレビ映像信号の送信またはメッセージ映像信号の送信の切り替えにより、表示器に表示させる複数画面表示の子画面映像を制御できることを特徴とするテレビ情報表示制御システム。
【請求項２】
請求項１記載のテレビ情報表示制御システムにおいて、前記複数画面表示時、子画面の挿入位置および大きさを、遊技客の操作により、任意に移動および大きさを拡大／縮小できることを特徴とするテレビ情報表示制御システム。
【請求項３】
請求項１〜２記載のテレビ情報表示制御システムにおいて、前記複数画面表示時、テレビ受信の選局を、遊技客の操作により、任意のチャンネルに切り替えることができることを特徴とするテレビ情報表示制御システム。
【請求項４】
請求項１〜３記載のテレビ情報表示制御システムにおいて、前記複数画面表示時、子画面の音をヘッドホーンジャックで出力すると共に、音量の大きさを、遊技客の操作により、任意に調整できることを特徴とするテレビ情報表示制御システム。
【考案の詳細な説明】
【考案に属する技術分野】
【０００１】本考案は、遊技中にテレビを見たり、各種ホール情報が表示できる遊技機のテレビ情報表示制御システムに関するものである。
【背景技術】
【０００２】従来、遊技を楽しみながらテレビを視聴させるため、遊技盤面の中に、小型ブラウン管を埋め込む手法が用いられている。また、前記小型ブラウン管とは、テレビそのものを用いたものである。【０００３】近年、遊技機は、液晶表示器の低コスト化と大画面化されており、それは、単に遊技に対応した図柄の表示のみであり、表示器を利用したサービスの向上が望まれている。
【考案の開示】
【考案が解決しようとする課題】
【０００４】従来のような遊技盤面は、小型ブラウン管を有するテレビそのものであるため、盤面自体が重厚になり、表示位置および大きさが固定される。なお、昨今の遊技盤面は、液晶画面が使用されるため、小型ブラウン管を有するテレビを埋め込む事が不可能であるという問題点を有していた。【０００５】また、遊技客に対する各種ホール情報の案内（例えば、メッセージ告知等）は、複雑な制御信号線の配線、呼び出しランプやＬＥＤ、店内放送設備や専用表示器などの遊技機以外の付帯設備によるコストが多大となっていた。【０００６】さらに、遊技ホールでは、従来から視聴率の高いテレビ放送時間帯には、遊技ホール内の遊技客が少なくなり、遊技機の稼働率が低下するという問題点もある。【０００７】本考案は、上記事情を解決するもので、１個の表示器にテレビ映像を表示する構成において、簡単な構成で、遊技中に任意の大きさで任意の表示位置に、テレビを視聴させたり各種ホール情報を表示でき、テレビを視聴するための中断・離籍を無くし継続的な遊技機の稼動と、緊急災害などが起こっても災害情報の入手を容易になることを提供する。
【課題を解決するための手段】
【０００８】上記の課題を解決するために本考案のテレビ情報表示制御システムは、遊技盤面に設けられた表示器と、遊技に対応した図柄信号を表示器に表示させる単一画面表示と、信号線を通じた表示制御を指示する制御信号に対応して、遊技に対応した前記図柄信号と映像信号からなる合成信号で表示器に表示させる複数画面表示と、信号線を通じた表示制御を指示する前記制御信号に対応して表示器に表示する前記合成信号の映像信号で、メッセージ映像信号の有無を検知し、テレビ受信回路のテレビ映像信号の送信またはメッセージ映像信号の送信の切り替えにより、表示器に表示させる複数画面表示の子画面映像を制御できることを設けたものである。（請求項１）【０００９】上記構成において、複数画面表示時、親画面の遊技に対応した図柄を阻害することなく、子画面の挿入位置および大きさを、遊技客の操作により、任意に移動および大きさを拡大／縮小できることを設けたものである。（請求項２）【００１０】また、上記構成において、複数画面表示時、テレビ受信の選局を、遊技客の操作により、任意のチャンネルに切り替えることができることを設けたものである。（請求項３）【００１１】さらに、上記構成において、複数画面表示時、子画面の音をヘッドホーンジャックで出力すると共に、音量の大きさを、遊技客の操作により、任意に調整できることを設けたものである。（請求項４）
【考案の効果】
【００１２】請求項１に記載のテレビ情報表示制御システムは、単一画面表示のときに遊技に対応した図柄信号を遊技盤面に設けられた表示器に表示する。信号線を通じた表示制御を指示する制御信号が複数画面表示のときは、遊技に対応した図柄信号と映像信号を遊技盤面に設けられた表示器に重畳表示する。そのとき、遊技客は、遊技を楽しみながらテレビを視聴したり各種ホール情報を入手することができる。【００１３】そこで、遊技盤面の表示器に表示される子画面の映像信号のテレビ映像信号とメッセージ映像信号の切り替えは、メッセージ映像信号の有無を判断することにより、余分な配線をすることなく、簡単な構成で遊技機を組み立てることができる。【００１４】請求項２記載のテレビ情報表示制御システムは、複数画面表示のとき、遊技中の重要な図柄を見逃すことのないよう、任意に子画面の挿入位置を移動することができる。【００１５】また、請求項２記載のテレビ情報表示制御システムは、複数画面表示のとき、遊技中の重要な図柄を見逃すことのないよう、およびテレビの好場面や重要なホール情報を見逃すことのないよう、任意に子画面の大きさを拡大／縮小することができる。【００１６】請求項３記載のテレビ情報表示制御システムは、複数画面表示のとき、任意に子画面のテレビ番組のチャンネルを選局することができる。【００１７】請求項４記載のテレビ情報表示制御システムは、複数画面表示のとき、ホール内の大音響に左右されることなく、テレビやホール情報を聞き取ることができる。
【考案を実施するための最良の形態】
【００１８】本考案のテレビ情報表示制御システムを、遊技盤面に設けられた表示器と、遊技に対応した図柄信号を表示器に表示させる単一画面表示と、信号線を通じた表示制御を指示する制御信号に対応して、遊技に対応した前記図柄信号と映像信号からなる合成信号で表示器に表示させる複数画面表示と、信号線を通じた表示制御を指示する前記制御信号に対応して表示器に表示する前記合成信号の映像信号で、メッセージ映像信号の有無を検知し、テレビ受信回路のテレビ映像信号の送信またはメッセージ映像信号の送信の切り替えにより、表示器に表示させる複数画面表示の子画面映像を制御できるようにする。【００１９】上記構成において、複数画面表示時、親画面の遊技に対応した図柄を阻害することなく、子画面の挿入位置および大きさを、遊技客の操作により、任意に移動および大きさを拡大／縮小できるようにする。【００２０】また、上記構成において、複数画面表示時、テレビ受信の選局を、遊技客の操作により、任意のチャンネルに切り替えることができるようにする。【００２１】さらに、上記構成において、複数画面表示時、子画面の音をヘッドホーンジャックで出力すると共に、音量の大きさを、遊技客の操作により、任意に調整できるようにする。
【実施例】
【００２２】本考案の実施例を図１を参照して説明する。なお、図２は、合成制御回路２３により、表示器１２の図柄信号が表示された上に、テレビ画面１３が重畳表示されていることを示している。図１は、遊技機のテレビ情報表示制御システムの構成を示している。図１において、テレビ表示制御手段としての遊技機制御回路１１はマイクロコンピュータを主体とする遊技機そのもので、例えば３桁の数字パターンを生成し、図柄信号として合成制御回路２３を通じて表示器１２に出力する。また、予め設定された大当たり数字パターンの判断や入賞口の開閉、玉払出などの各種制御を行っている。本考案は、図柄信号の出力と単一画面表示か複数画面表示のテレビ表示制御信号の出力のみを遊技機制御回路１１に依存するため、コストを上昇させることなく実施することができる。【００２３】まず、単一画面表示について説明する。遊技機制御回路１１は、合成制御回路２３に対し信号線を通じた表示制御を指示するテレビ表示制御信号を、単一画面表示のモードで出力する。合成制御回路２３は、従来の遊技機が表示器１２に出力していたように、遊技機制御回路１１が出力する遊技に対応した図柄信号をそのまま表示器１２に表示する。【００２４】次に、複数画面表示について説明する。遊技機制御回路１１は、合成制御回路２３に対し信号線を通じた表示制御を指示するテレビ表示制御信号を、複数画面表示のモードで出力する。合成制御回路２３は、単一画面表示同様、遊技機制御回路１１が出力する遊技に対応した図柄信号を、合成制御回路２３の図２のレイヤ１をそのまま表示器１２に表示する。【００２５】一方、合成制御回路２３は、検波／信号切り替え回路２２より子画面に出力するための合成を目的とする映像信号を、合成制御回路２３の図２のレイヤ２に配置し、表示器１２にテレビ画面１３を重畳表示する。【００２６】そのとき、テレビ情報表示制御システムに設けられたテレビ画面移動ボタン２８が押下された場合、カーソルボタン３０が有効となり、表示器１２の領域内でのテレビ画面１３を移動することができる。遊技客は、遊技中の重要な図柄を見逃すことのないよう、任意に子画面の挿入位置を移動することができる。【００２７】また、テレビ情報表示制御システムに設けられたテレビ画面拡大／縮小ボタン２９が押下された場合、テレビ画面移動と同様、カーソルボタン３０が有効となり、表示器１２の領域内でのテレビ画面１３を拡大／縮小することができる。
遊技客は、遊技中の重要な図柄を見逃すことのないよう、かつ、テレビの好場面や重要なホール情報を見逃すことのないよう、任意に子画面の大きさを拡大／縮小することができる。【００２８】さらに、テレビ映像信号とメッセージ映像信号の切り替えについて説明する。遊技機制御回路１１が、合成制御回路２３に対し信号線を通じた表示制御を指示するテレビ表示制御信号を、複数画面表示のモードで出力された場合、検波／信号切り替え回路２２は、表示器１２にテレビ画面１３の子画面に合成を目的とする映像信号を合成制御回路２３に送信するため、通常テレビ受信回路２１からのテレビ映像信号を合成制御回路２３に送信する。しかし、メッセージ映像信号を検波し信号が有る場合、強制的にテレビ映像信号からメッセージ映像信号に切り替えて合成制御回路２３に送信する。合成制御回路２３は表示器１２にテレビ画面１３を重畳表示する。【００２９】検波／信号切り替え回路２２が、通常のテレビ受信回路２１からのテレビ映像信号を合成制御回路２３に送信している場合、テレビ情報表示制御システムに設けられたチャンネルボタン２６が有効となり、テレビ受信の選局を任意のチャンネルに切り替えることができる。そのとき、選択されたチャンネルが、チャンネル表示２７に出力される。【００３０】遊技機制御回路１１が、合成制御回路２３に対し信号線を通じた表示制御を指示するテレビ表示制御信号を、複数画面表示のモードで出力された場合、テレビ情報表示制御システムは、ヘッドホーンジャック２５を備えており、テレビやホール情報をヘッドホーン３１を通じて聞き取ることができる。そのとき、テレビ情報表示制御システムに設けられた音量ボタン２４が有効となり、ホール内の騒音レベルが極めて大きいので、任意に音量の大きさを調整することができる。【００３１】本考案は、上記実施例に限定されるものでなく、次のような変形または拡張を行うことができる。ホール情報が音のみの場合であっても、検波／信号切り替え回路２２は、強制的に切り替えて、ヘッドホーン３１を通じて聞き取ることができる。
また、遊技機制御回路１１が出力する遊技に対応した図柄信号が遊技の演出上、複数のレイヤを必要とする場合であっても、合成制御回路２３のレイヤを増やすことができ、合成制御回路２３は、検波／信号切り替え回路２２より子画面に出力するための合成を目的とする映像信号を、合成制御回路２３の最上位のレイヤに配置し、表示器１２にテレビ画面１３を重畳表示する。
【産業上の利用可能性】
【００３２】従来、遊技を楽しみながらテレビを視聴するためテレビそのものを利用したり、遊技客に対する各種ホール情報の案内サービスのために店内放送設備などの付帯設備にコストを費やしていた。【００３３】また、遊技機そのものを楽しませる演出として、大画面の液晶表示器を利用し、遊技に対応した図柄の表示のみで、表示器を利用したサービスの向上が望まれていた。【００３４】本考案のテレビ情報表示制御システムは、表示器に表示する制御システムであり、従来の遊技機組立ての構成を変えることなく、遊技機に対する採用を可能とする。【００３５】そのため、遊技ホールの付帯設備コストを低減させるばかりでなく、視聴率の高いテレビ放送時間帯であっても遊技機の稼働率の向上継続を実現し、緊急災害などが起こっても災害情報の入手を手助け、および遊技ホールのイベントや宣伝広告などの付加価値のサービスを提供することができる。【００３６】したがって、余分なコストを費やすことなく、サービス向上が図れるため、遊技産業上、導入効果は多大なものと考えられるため効果的な利用が望める。
【図面の簡単な説明】
【００３７】
【図１】本考案の実施の形態のテレビ情報表示制御システムの構成を示すブロック図
【図２】テレビ画面重畳表示を示すレイヤ図
【符号の説明】
【００３８】１１遊技機制御回路
１２表示器
１３テレビ画面
２１テレビ受信回路
２２検波／信号切り替え回路
２３合成制御回路
２４音量ボタン
２５ヘッドホーンジャック
２６チャンネルボタン
２７チャンネル表示
２８テレビ画面移動ボタン
２９テレビ画面拡大／縮小ボタン
３０カーソルボタン
３１ヘッドホーン
【図１】
0003112116.tif 000003
【図２】
0003112116.tif 000004